(57)【特許請求の範囲】
【請求項１】
軸筒の先端に螺着により先部材が取り付けられ、また、その先部材は、外形が円錐形状であって、内側に内径の異なる複数の円柱中空部が形成された樹脂成形品よりなる筆記具の先部材であって、その先部材を射出成形で形成すると共に、その先部材の内面に複数のリブを形成し、また、前記先部材の内面に片を一体に形成し、その片を芯戻り止め部としたことを特徴とする筆記具軸の先部材。
【発明の詳細な説明】
【０００１】
【発明の属する技術分野】
本発明は、軸筒の先端に螺着により先部材が取り付けられ、また、その先部材は、外形が円錐形状であって、内側に円柱中空部が形成された樹脂成形品よりなる筆記具の先部材に関する。
【０００２】
【従来の技術】
１例として、実開昭６１−７００７６号に記載されたシャ−プペンシルの先部材がある。先端の方向（先端パイプ部９）に向かって徐々に縮径した円錐形状の口金（先端部材）の内側には、円柱中空部が形成されており、その中間部には、シャ−プペンシルの芯を保持する２つの弾性のリブ片６が形成されている。そして、この様な口金は、後方にねじ部が形成されていて軸筒に着脱自在に取り付けられている。
【０００３】
【発明が解決しようとする課題】
先部材の外形が円錐状で内側が内径の異なる複数の円柱中空部となっているので、肉厚の厚い部分と薄い部分とが形成される。そして、肉厚の厚い部分には、その外面にひけ（窪み）が発生してしまっていた。
また、前記の先部材を成形するには、一般的に、リブ片を成形するコアピンと、その外側にねじ部分を成形するねじコアピンとが金型の少なくとも２つの部品として使用される。ここで、成形終了後に、金型の１部品であるねじコアピンを成形品より回転させながら抜くが、その際、ねじコアピンの内周面にコアピンの外周面が接触しているため、内側に位置しているコアピンも回転してしまう場合があり、その結果、前記コアピンによって成形されたリブ片をねじコアピンの回転により引きちぎってしまったり、変形させてしまう危険性があった。
【０００４】
【課題を解決するための手段】
本発明は、上記問題点に鑑みてなされたものであり、軸筒の先端に螺着により先部材が取り付けられ、また、その先部材は、外形が円錐形状であって、内側に内径の異なる複数の円柱中空部が形成された樹脂成形品よりなる筆記具の先部材であって、その先部材を射出成形で形成すると共に、その先部材の内面に複数のリブを形成し、また、前記先部材の内面に片を一体に形成し、その片を芯戻り止め部としたことを要旨とする。
【０００５】
【作用】
先部材の内側に形成するリブによって、厚さの薄い部分が部分的に厚くなり、また、成形終了後にねじコアピンを回転させた際の成形品の回転防止となる。
【０００６】
【実施例】
第１例を図１〜図４に示し説明する。透明或いは、有色半透明な材質からなる軸筒１の内部には、複数の芯を貯蔵する芯タンク２が前後動可能に配置されている。その芯タンク２の前方には、芯の把持・解放を行うチャック体３が固定されており、そのチャック体３の中間部にはチャック体３の閉鎖、拡開を行うチャックリング４が囲繞された状態で取り付けられている。また、前記軸筒１と芯タンク２との間には、コイルスプリングなどの弾撥部材（チャックスプリング）５が張設されており、前記芯タンク２とチャック体３を後方に付勢している。符号６は、前記軸筒１の前端に螺着などによって着脱自在に取り付けられ、前記軸筒１と同様に透明或いは、有色半透明な材質からなる円錐形状の先部材であり、その先部材６の内側には芯の後退を阻止する芯戻り止め部７が一体形成されている。ここで、その芯戻り止め部７も透明或いは、有色半透明な材質からなっている。
【０００７】
前記芯タンク２の後方は、軸筒１の後端部より突出しており、その突出した部分の内側には、消しゴム８が着脱自在に圧入されている。
また、前記芯タンク２の後端突出部には、芯タンク２を押圧するノック部材９が着脱自在に圧入されている。そのノック部材９の内面には、芯タンク２と嵌合する長い縦リブ１０と、ノック部材９の芯タンク２への挿入位置規制と移動量を規制する短い縦リブ１１とが形成されている。
【０００８】
ここで、前記長い縦リブ１０の前端は、ノック部材９を押圧し芯の繰り出し操作を行った際、前記軸筒１の後端部に当接し得るようになっている。そして、その当接時においては、前記チャックスプリング５は、完全には密着せず、適宜の、例えば、チャックリングがチャック体から外れ芯が解放する程度の収縮範囲を有している。
尚、前記ノック部材９の外周筒部１２は、前記軸筒１の後方部を覆う位置まで形成されており、ノック部材というよりは、キャップのようになっており、シャ−プペンシルとしての美観を向上させていると共に、軸筒の後部をガイドとし、ノック部材の押圧操作によって発生する振れ（ぐらつき）を防止している。
尚、符号１３は、ノック部材９に一体に形成されたクリップであるが、そのクリップ１３を別部材として形成し、ノック部材に固定しても良い。
【０００９】
次に、前記先部材６について詳述する（図３、図４参照）。前記先部材６の外形は、先端の方向に向かって徐々に縮径する円錐状をなしており、また、先部材６の内側には内径のことなる複数の円柱中空部１４〜１７が形成されている。その上方の円柱中空部１４の内面には、ねじコアピンによって成形され、前記軸筒１に着脱自在に取り付けられる雌螺子部１８が形成されている。また、下方の円柱中空部１７の内面には、上方から下方に向かって徐々に狭まる縦リブ１９が放射状に複数形成されている。尚、この様な縦リブ１９を上方の円柱中空部１５、１６にも形成して良いが、成形によるひけは、肉厚の厚い箇所に発生しやすいので、極力少なくとも円柱中空部１７には形成した方が良い。
また、先部材６の内部で、円柱中空部１７の位置には、前述した芯戻り止め部７形成されているが、その芯戻り止め部７は、対向する２つの片２０、２１によって構成されている。また、その片２０、２１の内面には、凸状の芯保持部２２が形成されている。
【００１０】
次に、前記透明或いは、有色半透明な材質からなる軸筒並びに、先部材の材質の１例を挙げる。軸筒の材質としては、ＡＢＳ樹脂やＡＳ樹脂、ＰＣ樹脂が一般的に用いられるがこれらの材質の透明グレ−ドを軸筒並びに、先部材の材質としても良い。しかし、先部材には、芯保持部が一体に形成されていることから、曲げ弾性率が大きく、耐クリ−プ性の良い材質（例えば、ＰＣ樹脂）を選択することが、設計的、意匠的、自由度を上げることになり、より好ましい。
【００１１】
尚、前記先部と軸筒とを一体成形しても良く、また、前記先部の先端に金属製の芯保護パイプを取り付けても良く、更には、図示のように芯保護パイプ２３を先部と一体的に成形し、その芯保護パイプ部分にても芯の確認をすることができるようにしても良い。
【００１２】
次に成形方法について説明する。金型の成形品が成形されるキャビティ−の内部に、前記芯戻り止め部７や中空部１５〜１７を形成するコアピンと雌螺子部１８を形成するねじコアピンとを挿入し射出成形を行う。成形終了後に金型を開き、次いでねじコアピンを回転させながら成形品から離脱させる。尚、このとき、ねじコアピンの回転の負荷がコアピンに伝達されたとしても、前記コアピンが縦リブ１９に押さえられているので、成形品の芯保持部には前記回転作用は伝達されない。
また、前記コアピンを縦リブを形成する外コアピンと、芯保持部を形成する内コアピンとの２重構造にすれば、芯保持部へのねじコアピンの離脱時の回転の負荷は全く受けないものとなり、更に良い。
【００１３】
【発明の効果】
本発明は、軸筒の先端に螺着により先部材が取り付けられ、また、その先部材は、外形が円錐形状であって、内側に内径の異なる複数の円柱中空部が形成された樹脂成形品よりなる筆記具の先部材であって、その先部材を射出成形で形成すると共に、その先部材の内面に複数のリブを形成し、また、前記先部材の内面に片を一体に形成し、その片を芯戻り止め部としたので、先部材の表面に発生してしまうひけを極力防止することができ、また、芯保持部を破損させてしまうこともない。
【図面の簡単な説明】
【図１】  本発明の第１例を示す縦断面図。
【図２】  本発明のノック部材を示す縦断面図。
【図３】  本発明の先部材を示す縦断面図。
【図４】  本発明の先部材を示す縦断面図。
【符号の説明】
１      軸筒
２      芯タンク
３      チャック体
４      チャックリング
５      チャックスプリング
６      先部材
７      芯戻り止め部
８      消しゴム
９      ノック部材
１０    長い縦リブ
１１    短い縦リブ
１２    外周筒部
１３    クリップ
１４    円柱中空部
１５    円柱中空部
１６    円柱中空部
１７    円柱中空部
１８    雌螺子部
１９    縦リブ
２０    片
２１    片
２２    芯保持部
２３    芯保護パイプ
【図１】
0003870498.tif 000002
【図２】
0003870498.tif 000003
【図３】
0003870498.tif 000004
【図４】
0003870498.tif 000005